(57)【要約】【課題】  歩行しながらハンズフリーでガス漏洩の検知を行うことができるガス漏洩検査装置を提供すること。【解決手段】  地表面Ａに当接して漏洩ガスＧを収集する漏洩ガス収集手段１０と、該漏洩ガス収集手段１０を保持し、検査員の履物Ｓに取り付けられ、その歩行により漏洩ガス収集手段１０を地表面Ａに接離するアタッチメント２０と、漏洩ガス収集手段１０が収集したガスの有無を表示するガス検知手段３０とを備えた。【選択図】図２
2009276069.tif 000002
【特許請求の範囲】
【請求項１】
地下に埋設されたガス管からのガスの漏洩を検知するガス漏洩検査装置であって、
地表面に当接して漏洩ガスを収集する漏洩ガス収集手段と、
漏洩ガス収集手段を保持し、検査員の履物に取り付けられ、その歩行により前記漏洩ガス収集手段を地表面に接離するアタッチメントと、
前記漏洩ガス収集手段が収集したガスの有無を表示するガス検知手段と、
を備えたガス漏洩検査装置。
【請求項２】
請求項１に記載のガス漏洩検査装置において、
前記漏洩ガス収集手段は、下部開口部を有する逆漏斗状の本体と、
本体内部に設けられ、前記下部開口部より上方でガス流入口を有する仕切部と、
本体内部を摺動し、前記ガス流入口を開閉する弁体と、
を備えていることを特徴とするガス漏洩検査装置。
【請求項３】
請求項２に記載のガス漏洩検査装置において、
前記弁体は、前記本体内を摺動し、前記ガス流入口に当接・離間して前記ガス流入口を開閉する弁板と、
上端が前記弁板に接続され、前記ガス流入口を貫通して、前記アタッチメントが地表面に当接したときに下端が地表面に当接して前記弁板が前記ガス流入口を開いてガスの流入を可能とし、前記アタッチメントが地表面から離間したときに下端が前記下部開口部から突出して前記弁板が前記ガス流入口を閉鎖する弁軸と、
を備えていることを特徴とするガス漏洩検査装置。
【発明の詳細な説明】
【技術分野】
【０００１】
この発明は、地中に埋設されたガス管からガス漏れが発生したときに、そのガス漏れ箇所を探索するために用いられるガス漏洩検査装置に関し、特に、検査員の両手が使えるようになる所謂ハンズフリーのガス漏洩検査装置に関する。
【背景技術】
【０００２】
地震や津波、高波等の災害時に、地中に埋設された都市ガス管が損傷し、可燃ガスが漏洩して火災の二次災害となる恐れがある。そのため、災害時には、ガス管の被害状況を迅速に把握する必要がある。
【０００３】
そこで、広範な地域を短時間で検査する必要があり、従来は、検査員が漏洩検査を行うに当たり、特許文献１に示すような検査員が手に持って導管図面に沿って移動させる可燃性ガス検知器やカート式あるいは携帯式の可燃性ガス検知器等を用いて、この検知機を移動させてガス漏洩検査を実施している。
【特許文献１】特開平１１−２３４０３号公報
【発明の開示】
【発明が解決しようとする課題】
【０００４】
ところが、漏洩検査を実施する場合は、上記の検査装置や導管図面等を手に持ちながら行わなければならず、検査員の手の自由度が制限され、記録や移動に時間がかかるという問題がある。
そのため、少なくとも二人の検査員が一組となり漏洩検査を行わなければならず、そのため広範な災害地域を広く分担して漏洩検査を行うことができず、その分、二次災害発生の危険性が増すという大きな問題がある。
また、従来のカート式あるいは携帯式の可燃性ガス検知器等では、接地時間を長く（例えば１０秒〜１５秒程度）保たなければならず、検査に時間がかかり、広範囲の地域の検査が難しいという問題がある。
【０００５】
そこで、本発明は、かかる課題を解決すべく、歩行しながらハンズフリーでガス漏洩の検知を、単独で広範囲に行うことができるガス漏洩検査装置を提供することを目的とする。
【課題を解決するための手段】
【０００６】
本発明に係るガス漏洩検査装置は、次のような特徴を有する。
（１）地下に埋設されたガス管からのガスの漏洩を検知するガス漏洩検査装置であって、地表面に当接して漏洩ガスを収集する漏洩ガス収集手段と、該漏洩ガス収集手段を保持し、検査員の履物に取り付けられ、その歩行により前記漏洩ガス収集手段を地表面に接離するアタッチメントと、前記漏洩ガス収集手段が収集したガスの有無を表示するガス検知手段と、を備えることを特徴とする。
このガス漏洩検査装置によれば、ガス検査員はその履物にアタッチメントを取り付けてガス漏れ予想箇所を歩行するだけでよく、その際、地図や筆記用具を手に持つことができ、ガス漏れ検査作業が容易になり、単独で検査することができる。
【０００７】
（２）（１）に記載のガス漏洩検査装置において、前記漏洩ガス収集手段は、下部開口部を有する逆漏斗状の本体と、該本体内部に設けられ、前記開口部より上方でガス流入口を有する仕切部と、前記ガス流入口を開閉する弁体と、を備えていることを特徴とする。
検査員が歩行すると、アタッチメントとともに漏洩ガス収集手段が地表面と接離を繰り返すが、漏洩ガス収集手段が地表面から離れたときには余分な空気が漏洩ガス収集手段に入り込む。しかし、このガス漏洩検査装置では、漏洩ガス収集手段として、単に逆漏斗状のガス収集部だけでなく、その内部に弁機構を設けるので、仕切部のガス流入口が弁体により開放されているとき（漏洩ガス収集手段が着地状態）は、逆漏斗状の本体の下部開口部から漏洩ガスを吸入し、漏洩ガスをその内部の上方に導入し、仕切部よりさらに上方に漏洩ガスを導入して検知することができる。
【０００８】
一方、弁体によりガス流入口が閉じられているとき（漏洩ガス収集手段が地表面から離れている状態）は、余分な空気の吸引を阻止してガスの希釈を防止するとともに、前記導入されたガスの下方への流出を阻止することができ、ガス漏洩の検査精度を高めることができる。
そして、次の一歩で漏洩ガス収集手段が着地したときは、新たなガスが本体に入り込み、前のガスを押し上げるので、これを繰り返すことにより、ガス検知手段にガスが到達するとガス漏洩を知らせるため、数歩戻ってその地域を時間をかけて調査すればよい。
【０００９】
（３）（１）に記載のガス漏洩検査装置において、前記弁体は、前記本体内を摺動し、前記ガス流入口に当接・離間して前記ガス流入口を開閉する弁板と、上端が前記弁板に接続され、前記ガス流入口を貫通して、前記アタッチメントが地表面に当接したときに下端が地表面に当接して前記弁板が前記ガス流入口を開いてガスの流入を可能とし、前記アタッチメントが地表面から離間したときに下端が前記下部開口部から突出して前記弁板が前記ガス流入口を閉鎖する弁軸と、を備えていることを特徴とする。
このガス漏洩検査装置によれば、本体の下部開口部が地表面に当接しているときは前記弁軸の下端が地表面により上方に押圧されて前記ガス流入口を開き、漏洩ガスがあるときはそのガスを本体内部に導入し、本体が地表面から離間し、弁軸の下端が地表面より離間すると自動的に弁体が前記ガス流入口を閉じて、本体内への余分な空気の流入を阻止し、かつ吸入ガスの流出を阻止するので、検査精度の向上が図れる。
【発明の効果】
【００１０】
本発明に係るガス漏洩検査装置によれば、検査員はアタッチメントを履物（靴）に取り付けて、ガス漏洩予想地域を歩行するだけで、地図や記録用紙を手にして検査作業ができるので、検査員の作業負担が軽減でき、単独で広範囲の検査ができるようになり、二次災害の防止に有効に活用することができる。
また、漏洩ガス収集手段として、単に逆漏斗状のガス収集部だけでなく、その内部に弁機構を設けているため、仕切部のガス流入口が弁体により開放されているときは、仕切部よりさらに上方に漏洩ガスを導入して検知することができ、弁体によりガス流入口が閉じられているときは、導入されたガスの下方への流出を阻止するとともに、余分な空気の吸引を阻止してガスの希釈を防止することができ、ガス漏洩の検査精度を高めることができる。
【発明を実施するための最良の形態】
【００１１】
次に、本発明に係るガス漏洩検査装置の一の実施の形態について図面を参照して以下に説明する。ここで、図１は、第１の実施の形態のガス漏洩検査装置の平面図であり、図２は、ガス漏洩検査装置の正面面図、図３は側面図である。
【実施例１】
【００１２】
本発明に係るガス漏洩検査装置の第１の実施の形態について説明する。ガス漏洩検査装置１は、図１乃至図３に示すように、地表面Ａに当接して漏洩ガスを収集する漏洩ガス収集手段１０と、漏洩ガス収集手段１０を保持し、検査員の履物Ｓに取り付けられ、検査員の歩行により前記漏洩ガス収集手段１０を地表面Ａに接離するアタッチメント２０と、前記漏洩ガス収集手段１０に接続され、漏洩ガス収集手段１０が収集したガスＧの有無を表示するガス検知手段３０と、を備えている。
【００１３】
前記漏洩ガス収集手段１０は、図４、図５に示すように、下部開口部１０１を有する逆漏斗状に成形されたＭＣナイロン製の本体脚部１１と、本体脚部１１の上部に設けられ、上端にガス流入口１３１が形成された円筒状の仕切部１３と、仕切部１３に螺合されるＭＣナイロン製の本体上部１２と、前記ガス流入口１３１を開閉する弁体１５と、を備えている。
本体脚部１１は、下端に下部開口部１０１が設けられ、下部開口部１０１から上方に円錐形に立ち上がる逆漏斗状のもので、下部開口部１０１の周囲は後述するアタッチメント２１に取り付けるためのボルト孔が複数設けられた脚部１１ａが形成されている。
【００１４】
仕切部１３は下端が本体脚部１１の上端に接続又は一体成形され、上端に略４５°の傾斜面に形成された弁座の機能を有するガス流入口１３１が設けられた円筒状のもので、本体脚部１１の内部の下室１０３と本体上部１２の内部の上室１０５とを仕切るようになっている。そして、仕切部１３の外周面に雄ねじが切られ、本体上部１２の内壁１２ａの下部に切られた雌ねじに螺合して本体脚部１１と本体上部１２とが接続されるようになっている。
【００１５】
本体上部１２は、内壁１２ａの下部が仕切部１３に螺合され、上部に後述のコイルバネ１７の上端が挿入される凹部１２ｂと、この凹部１２ｂの上端に接続管１１ｃが螺合される連通口１２ｃが設けられている。
そして、凹部１２ｂと弁板１５１との間にはコイルバネ１７が挿入され、常時、弁体１５が前記ガス流入口１３１を閉鎖する方向に付勢している。
【００１６】
弁体１５は、ガス流入口１３１に当接・離間して前記ガス流入口１３１を開閉する円盤状の下面周囲が４５°の傾斜に面取りされ、外周が本体上部１２の内壁１２ａを摺動する弁板１５１と、上端が弁板１５１の下面に接続され、仕切部１３を貫通して、本体１１１が地表面Ａに当接したときに下端が地表面Ａに当接して、弁板１５１がガス流入口１３１を開いて上室１０５と下室１０３とを連通させてガスＧの流入を可能とし、本体１１１が地表面Ａから離間したときに下端が下部開口部１０１から突出して弁板１５１がガス流入口１３１を閉鎖して上室１０５と下室１０３とを遮断する弁軸１５３と、を備えている。
【００１７】
次に、アタッチメント２０は、検査員の履物Ｓが載せられる面積を有する平板状のベース板２１と、ベース板２１の前後に左右一対で設けられた二条の長孔２２ａ、２２ｂ、２３ａ、２３ｂに、それぞれ挿通されて、検査員の履物Ｓの前上部を前記ベース板２１に緊締する前バンド２５と、足首の前側を緊締する後バンド２６とを備えている。
【００１８】
ベース板２１は、ＭＣナイロンの厚板のような軽量で強度のあるもので構成され、左右のいずれか一方には、本体脚部１１の下部開口部１０１と同径の開口孔２０１が設けられ、その周囲に下面から上面に向けて、本体脚部１１の脚部１１ａに設けられたボルト孔に対応した複数の皿孔が設けられている。
【００１９】
前バンド２５は、両端に一対のマジックファスナ（商品名）等の接続手段が取り付けられたバンドで、一端部がベース板２１の外側の長孔２２ａから下面に向かって挿入され、内側の長孔２２ａから上面に出て反対側の内側の長孔２２ｂに下向きに挿入され、外側の長孔２２ｂから上面に出るように巻回され、履物Ｓを載せてから両端同士を重ねてマジックファスナで緊締することが可能になっている。後バンド２６も前バンド２５と同様である。なお、ベース板２１に設けられている一対の長孔２２、２３が相隣りあって形成される細板部は、下面が前記バンド２５、２６の厚さ分だけ薄く形成され、バンド２５、２６が直接地表面Ａに接しないようになっている。
【００２０】
次に、ガス検知手段３０は、接続パイプ３１で漏洩ガス収集手段１０の接続管１１１に接続され、検査員の手元で漏洩ガスの有無やその濃度を表示あるいは音で知らせるものであれば、従来の可燃性ガス検知器が流用できる。
【００２１】
次に、以上のように構成されたガス漏洩検査装置１の動作について説明する。図３に示すように、検査員はアタッチメント２０のベース板２１上に履物Ｓを載せてバンド２５、２６により履物Ｓを緊締する。そして、図６の使用状態を示す概念図に示すように、漏洩ガス収集手段１０に接続されたガス検知手段３０を手に持って、ガス漏洩予想地域を歩行する。
【００２２】
検査員の歩行に伴って、漏洩ガス収集手段１０の弁軸１５３が地表面Ａに接地すると、図４に示すように、弁軸１５３の下端が下部開口部１０１及び開口部２０１とともに地表面Ａに当接して上方に押圧され、弁体１５がコイルバネ１７の付勢力に抗して上方に摺動し、弁板１５１がガス流入口１３１を開き、上室１０５と下室１０３とを連通させる。
そして、地表面Ａと下室１０３、上室１０５とにより本体１１１の内部が密室となり、もし、ガスＧが漏洩している場合は、点線で示すように、ガスＧは空気より軽いので、ガスＧが下室１０３からガス流入口１３１を通り、上室１０５に入り、さらに接続管１１ｃから接続パイプ３１を通ってガス検知手段３０に導入される。
【００２３】
次に、検査員の歩行に伴って、漏洩ガス収集手段１０の弁軸１５３が地表面Ａから離間すると、図５に示すように、弁体１５がコイルバネ１７の付勢力により下方に移動して、弁板１５１がガス流入口１３１を閉鎖して上室１０５と下室１０３とを遮断する。
すると、上室１０５と下室１０３とが遮断されているので、下室１０３内に入っている空気が上室１０５内には入らず、前述した上室１０５に入っている漏洩ガスＧが余分な空気により薄まることがなく、精度良く漏洩ガスの検知を行うことができる。
なお、このとき、弁軸１５３の下端は、アッタチメント２０の開口孔２０１より下方に突出して、次の歩行に備えている。
【００２４】
次の一歩で漏洩ガス収集手段１０の弁軸１５３が着地したときは、再び弁板１５１がガス流入口１３１を開き、新たなガスＧあるいは空気が本体１１１に入り込み、前のガスＧを押し上げるので、これを繰り返すことにより、ガス検知手段３０にガスＧが次々に導入され、ガスＧがガス検知手段３０に到達するとガス漏洩があることを表示して検査員に知らせる。検査員は数歩戻ってその地域を時間をかけて調査し、その場所を地図上にプロットするとともに、工事部門に連絡して適切なガス漏れ防止工事を実施させる。
【００２５】
このように、本実施の形態のガス漏洩検査装置１によれば、地表面Ａに当接して漏洩ガスＧを収集する漏洩ガス収集手段１０と、該漏洩ガス収集手段１０を保持し、検査員の履物Ｓに取り付けられ、その歩行により前記漏洩ガス収集手段１０を地表面Ａに接離するアタッチメント２０と、前記漏洩ガス収集手段１０が収集したガスの有無を表示するガス検知手段３０とを備えたことにより、検査員がアタッチメント２０に履物Ｓを緊締してガス漏洩予想地域を歩行するだけで、ガス漏れを検知できるので、ハンズフリーとなり、地図や記録用紙を持ちながらガス漏洩検査が可能となり、単独で広範囲な検査が可能となった。
【００２６】
また、漏洩ガス収集手段１０の内部に弁機構を設けることにより、逆漏斗状の本体１１１の下部開口部１０１から漏洩ガスＧを吸入し、漏洩ガスＧをその内部の上方に導入し、仕切部１３のガス流入口１３１が弁体１５により開放されているときは、仕切部１３よりさらに上方に漏洩ガスＧを導入して検知することができ、一方、弁体１５によりガス流入口１３１が閉じられているときは、前記導入されたガスＧの下方への流出を阻止するとともに、余分な空気の吸引を阻止することができ、次の一歩で再び弁体１５を押し上げてガス流入口１３１を開き、ガスＧを導入してこれを繰り返すことによりガス検知手段３０にガスＧを到達させるので、検査員が単独で検査できるようになり、ガス漏洩の検査精度及び検査効率を高めることができる。
【実施例２】
【００２７】
次に、本発明に係るガス漏洩検査装置の第２の実施の形態について説明する。第１の実施の形態と同一の部分は同一の符号を付して示し、説明を省略する。
ガス漏洩検査装置４は、図７乃至図９に示すように、地表面Ａに当接して漏洩ガスを収集する漏洩ガス収集手段５０と、該漏洩ガス収集手段５０を保持し、検査員の履物Ｓに取り付けられ、検査員の歩行により前記漏洩ガス収集手段５０を地表面Ａに接離するアタッチメント６０と、前記漏洩ガス収集手段５０に接続され、該漏洩ガス収集手段５０が収集したガスＧの有無を表示するガス検知手段３０と、を備えている。
【００２８】
漏洩ガス収集手段５０は、図１０、図１１に示すように、下部開口部５０１を有する逆漏斗状の本体５１と、本体５１の内部に設けられ、下部開口部５０１より上方でガス流入口５３１を有する仕切部５３と、ガス流入口５３１を開閉する弁体５５と、を備えている。
本体５１は、下端に下部開口部５０１が設けられ、該下部開口部５０１から上方に円錐形に立ち上がる逆漏斗状のもので、上端にはガス検知手段３０に接続パイプ３１を介して接続されるように小径の接続管５１１が設けられている。
【００２９】
そして、本体５１の内部の、下部開口部５０１より上方には、この本体５１内部を上室５０５と下室５０３に仕切るように仕切部５３が設けられている。仕切部５３の中心部には、図１２に示すように、後述する弁体５５の弁軸５５３が上下に摺動するのを可能にする摺動孔５３５と、該摺動孔５３５に波形あるいは星形に外周に広がり、弁体５５の上下摺動により開閉されるガス流入口５３１が設けられている。
【００３０】
弁体５５は、ガス流入口５３１に当接・離間して前記ガス流入口５３１を開閉する円盤状の弁板５５１と、上端が弁板５５１の下面に取り付けられ、仕切部５３の摺動孔５３５を貫通して摺動し、本体５１が地表面Ａに当接したときに下端が地表面Ａに当接して、弁板５５１がガス流入口５３１を開いて上室５０５と下室５０３とを連通させてガスＧの流入を可能とし、本体５１が地表面Ａから離間したときに下端が下部開口部５０１から突出して弁板５５１がガス流入口５３１を閉鎖して上室５０５と下室５０３とを遮断する摺動軸５５３と、を備えている。
【００３１】
弁板５５１は、波形のガス流入口５３１の最大径より大きな外径を有する厚板製円盤状のものである。弁板５５１の下面に取り付けられた弁軸５５３は、弁板５５１が仕切り板５３の上面に当接してガス流入口５３１を閉じたときに、下端が下部開口部５０１から突出する長さの棒状のものである。
弁軸５５３の下端と弁板５５１の下面との間の所定の位置には、ワッシャ５５５が固定されている。
そして、仕切部５３の下面とワッシャ５５５との間の、弁軸５５３の周囲にはコイルバネ１７が挿入され、常時、弁体５５が前記ガス流入口５３１を閉鎖する方向に付勢している。
【００３２】
次に、アタッチメント６０は、検査員の履物Ｓが載せられる面積を有する平板状のベース板６１と、該ベース板６１の下面に取り付けられ地表面Ａを踏むプロテクタ６３と、ベース板６１の上面に取り付けられ、検査員の履物Ｓの前上部を前記ベース板６１に緊締する前バンド６５と、足首の前側を緊締する中バンド６６と、踵側を緊締する後バンド６７とを備えている。
【００３３】
ベース板６１は、例えばアルミ厚板のような軽量で強度のあるもので構成され、左右のいずれか一方は、上方に向かう傾斜面６０１が形成され、傾斜面６０１に続いて略水平な取付面６０３が形成されている。
この取付面６０３の前後方向略中央には、半円形の切欠６０５が形成され、この切欠６０５に前述した漏洩ガス収集手段５０の本体５１が、クッション材等を介して適宜の接続手段で取り付けられている。
ベース板６１への本体５１の取り付け高さは、プロテクタ６３が地表面に接地したときに、本体５１の下部開口部５０１が略同時に接地する高さとする。
【００３４】
プロテクタ６３は、検査員の体重を支えることができ、かつ、検査員が歩行するときのクッションとなるような硬質ゴム等の材質で成形された略長方形のもので、この実施の形態では、ベース板６１の下面の、前後左右に４個取り付けられている。
したがって、プロテクタ６３が検査員の体重等で圧縮されたときや、地表面が傾斜していてベース板６１と本体５１との高さにわずかな差や傾斜があるときに、この差を吸収するために、前述したようにベース板６１と本体５１との間にクッション材を介して取り付けておくことが望ましい。
【００３５】
前、中、後バンド６５、６６、６７は、途中で左右に分かれた２本構成で、それぞれの端部がベース板６１にかしめ等により固定され、自由端にマジックファスナ（商品名）等の接続手段が取り付けられていて、履物Ｓを載せてから左右のバンドで緊締することが可能になっている。
【００３６】
次に、ガス検知手段３０は、前記第１の実施の形態のものと同一である。
そして、この第２の実施の形態のガス漏洩検査装置４の動作も第１の実施の形態のものと同一である。
したがって、前記第１の実施の形態のものと同一の効果が得られる。
【００３７】
なお、本発明は前記実施の形態のものに限定されるものではなく、その趣旨を逸脱しない範囲で様々な変更が可能である。
例えば、前記実施の形態では、アタッチメントを平板状のものにして履物を載せ、そのアタッチメントに漏洩ガス収集手段を取り付けるようにしたが、これに限られず、例えば長靴に直接漏洩ガス収集手段を取り付けるようにすることも可能である。要するに、履物に漏洩ガス収集手段を取り付けて歩行ができる構造であればよい。
また、漏洩ガス収集手段やアタッチメントがＭＣナイロンを成形したもので説明したが、ステンレス等の金属製でも良い。
【図面の簡単な説明】
【００３８】
【図１】本発明の第１の実施の形態に係るガス漏洩検査装置の平面図である。
【図２】本発明の第１の実施の形態に係るガス漏洩検査装置の正面図である。
【図３】本発明の第１の実施の形態に係るガス漏洩検査装置の側面図である。
【図４】本発明の第１の実施の形態に係るガス漏洩検査装置の、漏洩ガス収集手段が着地した状態の断面図である。
【図５】本発明の第１の実施の形態に係るガス漏洩検査装置の、漏洩ガス収集手段が地表面から離れた状態の断面図である。
【図６】本発明の第１の実施の形態に係るガス漏洩検査装置を使用している状態の概念図である。
【図７】本発明の第２の実施の形態に係るガス漏洩検査装置の平面図である。
【図８】本発明の第２の実施の形態に係るガス漏洩検査装置の正面図である。
【図９】本発明の第２の実施の形態に係るガス漏洩検査装置の側面図である。
【図１０】本発明の第２の実施の形態に係るガス漏洩検査装置の、漏洩ガス収集手段が着地した状態の断面図である。
【図１１】本発明の第２の実施の形態に係るガス漏洩検査装置の、漏洩ガス収集手段が地表面から離れた状態の断面図である。
【図１２】本発明の第２の実施の形態に係るガス漏洩検査装置の、ガス流入口の平面図である。
【符号の説明】
【００３９】
１、４        ガス漏洩検査装置
１０、５０    漏洩ガス収集手段
１０１        下部開口部
１１１        本体
１１          本体脚部
１１ａ        脚部
１２          本体上部
１２ａ        内壁
１２ｂ        凹部
１２ｃ        連通口
１１ｃ        接続管
１３          仕切部
１３１        ガス流入口
１５          弁体
１５１        弁板
１５３        弁軸
１７          コイルバネ
２０          アタッチメント
２０１        開口孔
２１          ベース板
２５、２６    バンド
３０          ガス検知手段
３１          接続パイプ
Ａ            地表面
Ｇ            漏洩ガス
Ｓ            履物
【図１】
2009276069.tif 000003
【図２】
2009276069.tif 000004
【図３】
2009276069.tif 000005
【図４】
2009276069.tif 000006
【図５】
2009276069.tif 000007
【図６】
2009276069.tif 000008
【図７】
2009276069.tif 000009
【図８】
2009276069.tif 000010
【図９】
2009276069.tif 000011
【図１０】
2009276069.tif 000012
【図１１】
2009276069.tif 000013
【図１２】
2009276069.tif 000014